(57)【要約】【課題】幼稚仔に避難場所を提供することができる人工魚礁を提供する。【解決手段】平板状の避難用本体４，５，６と、避難用本体４，５，６間に放流魚を含む魚介類の幼稚仔の避難用空間２を形成して積層するスペーサ部材７，８とを備え、避難用空間２は、幼稚仔は通過可能で、幼稚仔を捕食する魚介類は通過不可能とすることとし、簡単な構造により幼稚仔の避難場所を提供することで、幼稚仔を捕食しようとする天敵から幼稚仔を容易に保護することができる。【選択図】図１
0003200467.tif 000002
【実用新案登録請求の範囲】
【請求項１】
平板状の本体と、前記本体間に放流魚を含む魚介類の幼稚仔用空間を形成して積層するスペーサ部材とを備え、
前記幼稚仔用空間は、前記幼稚仔は通過可能で、前記幼稚仔を捕食する魚介類は通過不可能とすることを特徴とする人工魚礁。
【請求項２】
前記本体の外周に前記幼稚仔が避難可能な凹部を備えたことを特徴とする請求項１記載の人工魚礁。
【請求項３】
最下層の前記本体の前記スペーサ部材の配置箇所に設けた第１の雌螺子部材と、前記第１の雌螺子部材に螺合可能な雄螺子部材と、前記最下層の本体以外の前記本体の前記スペーサ部材の配置箇所及び前記スペーサ部材に前記雄螺子部材が挿通可能に設けられた貫通孔と、最上層の前記本体の前記貫通孔に挿通された前記雄螺子部材に螺合され、前記本体と前記スペーサ部材とを締結固定する第２の雌螺子部材とを備えたことを特徴とする請求項１又は２に記載の人工魚礁。
【請求項４】
前記スペーサ部材を前記本体外周より内側に配置し、
前記幼稚仔用空間を前記本体の周方向に連続して形成したことを特徴とする請求項１〜３のいずれか１項に記載の人工魚礁。
【請求項５】
前記本体に魚礁用スペーサ部材を介して平板状の魚礁用本体を積層して魚礁用空間を形成して、
前記魚礁用空間に貝殻を骨材としたコンクリートを固化させた透水性を有する略半円筒状の魚礁用成形体を配置したことを特徴とする請求項１〜４のいずれか１項に記載の人工魚礁。
【請求項６】
前記魚礁用成形体を前記魚礁用スペーサ部材間に配置して、
前記魚礁用成形体の開口部を前記魚礁用スペーサ部材で隠蔽可能に備えたことを特徴とする請求項５に記載の人工魚礁。
【請求項７】
前記本体間の間隔を２ｃｍ以上１０ｃｍ以下とし、
前記凹部は、最下層の前記本体の外周面の下側から底面にかけて切り欠いて形成され、前記凹部の外周面方向の開口部分の高さ寸法及び幅寸法を前記間隔より大きく形成することを特徴とする請求項２〜６のいずれか１項に記載の人工魚礁。
【考案の詳細な説明】
【技術分野】
【０００１】
本考案は、海底に沈設して魚場の改良をするのに適する人工魚礁に関するものである。
【背景技術】
【０００２】
従来、海底に沈設して魚場の改良をする人工魚礁として、コンクリート製の立方体状の枠体の隙間を魚介類が出入りし、枠体の内部空間に魚介類の安息可能な棲息域を形成するものがある（特許文献１）。
【先行技術文献】
【特許文献】
【０００３】
【特許文献１】特開２００７−２０９２６２号公報
【考案の開示】
【考案が解決しようとする課題】
【０００４】
しかし、従来の人工魚礁では、枠体の隙間が大きすぎるため、幼稚仔を捕食しようとする天敵まで人工魚礁の内部に侵入してくる、という問題点があった。
【０００５】
解決しようとする問題点は、幼稚仔に避難場所を提供することができる人工魚礁を提供する点である。
【課題を解決するための手段】
【０００６】
請求項１の考案は、平板状の本体と、前記本体間に放流魚を含む魚介類の幼稚仔用空間を形成して積層するスペーサ部材とを備え、前記幼稚仔用空間は、前記幼稚仔は通過可能で、前記幼稚仔を捕食する魚介類は通過不可能とすることを特徴とする。
【０００７】
請求項２の考案は、前記本体の外周に前記幼稚仔が避難可能な凹部を備えたことを特徴とする。
【０００８】
請求項３の考案は、最下層の前記本体の前記スペーサ部材の配置箇所に設けた第１の雌螺子部材と、前記第１の雌螺子部材に螺合可能な雄螺子部材と、前記最下層の本体以外の前記本体の前記スペーサ部材の配置箇所及び前記スペーサ部材に前記雄螺子部材が挿通可能に設けられた貫通孔と、最上層の前記本体の前記貫通孔に挿通された前記雄螺子部材に螺合され、前記本体と前記スペーサ部材とを締結固定する第２の雌螺子部材とを備えたことを特徴とする。
【０００９】
請求項４の考案は、前記スペーサ部材を前記本体外周より内側に配置し、前記幼稚仔用空間を前記本体の周方向に連続して形成したことを特徴とする。
【００１０】
請求項５の考案は、前記本体に魚礁用スペーサ部材を介して平板状の魚礁用本体を積層して魚礁用空間を形成して、前記魚礁用空間に貝殻を骨材としたコンクリートを固化させた透水性を有する略半円筒状の魚礁用成形体を配置したことを特徴とする。
【００１１】
請求項６の考案は、前記魚礁用成形体を前記魚礁用スペーサ部材間に配置して、前記魚礁用成形体の開口部を前記魚礁用スペーサ部材で隠蔽可能に備えたことを特徴とする。
【００１２】
請求項７の考案は、前記本体間の間隔を２ｃｍ以上１０ｃｍ以下とし、前記凹部は、最下層の前記本体の外周面の下側から底面にかけて切り欠いて形成され、前記凹部の外周面方向の開口部分の高さ寸法及び幅寸法を前記間隔より大きく形成することを特徴とする。
【考案の効果】
【００１３】
請求項１の考案によれば、簡単な構造により幼稚仔の避難場所を提供することで、幼稚仔を捕食しようとする天敵から幼稚仔を容易に保護することができる。
【００１４】
請求項２の考案によれば、警戒心の強い幼稚仔に一時的な避難場所として凹部を提供して、警戒心が薄れた後、幼稚仔用空間へ入ることができる。
【００１５】
請求項３の考案によれば、雄螺子部材を貫通孔に挿通して本体とスペース部材を接続し、最下層の本体に雄螺子部材を第１の雌螺子部材を介して固定し、最上層の本体に雄螺子部材を第２の雌螺子部材を介して固定することで、人工魚礁の組み立てが容易となる。
【００１６】
請求項４の考案によれば、幼稚仔用空間を本体の外周方向に連続して形成したことで、幼稚仔はどの方向からでも幼稚仔用空間へ入ることができる。
【００１７】
請求項５の考案によれば、魚礁用成形体の内外面に貝殻による凹凸部を有すると共に透水性を有することにより、海藻類が着生し易いと共に、有用魚類を効果的に蝟集させることができ、海水の潮通しが良くなり、餌料となる有用微小生物の着生を促進すると共に、海藻類の着生生育を助長する。また、半円筒の内部は、アワビ、サザエ等の貝類の良好な生息施設となり、且つ魚類の幼稚仔保護機能空間となる。また、魚礁用本体の上面は海藻類の着生場所となるとともに、魚礁用本体の下面はヤリイカ等の魚介類の産卵礁となり、魚礁用空間を魚介類の産卵場所として提供することができる。以上のことから、幼稚仔用空間と魚礁用空間という多機能を有する人工魚礁を提供することができる。
【００１８】
請求項６の考案によれば、魚礁用成形体の開口部が外部に露出することを防いで、魚礁用成形体内部の魚介類を外敵から保護することができる。
【００１９】
請求項７の考察によれば、前記本体間の間隔を２ｃｍ以上１０ｃｍ以下とすることで、各幼稚仔用空間の間隔を、魚類の稚魚やアワビ、サザエ等の稚貝などの幼稚仔が通過可能で、幼稚仔を捕食する魚介類やタコ等の天敵が通過不可能とすることができる。また、凹部の底面側の開口部分に面した海底を掘り下げると凹部による幼稚仔用空間の拡大を図ることができる。さらに、前記凹部の外周面方向の開口部分の高さ寸法及び幅寸法を前記間隔より大きく形成したことで、人工魚礁を海底に設置した際に最下層の本体が海底に埋没しても、開口部分における開口面積が確保され、凹部の外周面側の開口部分が露出して幼稚仔が出入可能とする。
【図面の簡単な説明】
【００２０】
【図１】本考案の人工魚礁の斜視図である。
【図２】同上、人工魚礁の断面図である。
【図３】同上、人工魚礁の分解斜視図である。
【考案を実施するための形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
以下、本考案の実施例を添付図面を参照して説明する。本実施例の人工魚礁１は、下部に水棲生物の幼稚仔を外敵から保護する幼稚仔用空間としての避難用空間２と、上部に水棲生物の魚礁・増殖礁とする魚礁用空間３とを有している。
【００２３】
そして、人工魚礁１の下部では、避難用空間２を形成するために、平面視矩形状のコンクリート製の平板からなる避難用本体４，５，６と、前記避難用本体４，５，６間に水棲生物の幼稚仔の避難用空間２を形成して積層するコンクリート製の角柱部材からなる第１のスペーサ部材７及び第２のスペーサ部材８とを備えている。
【００２４】
本実施例では、避難用本体４，５，６を最下層、中間層、最上層からなる３層構造に積層しており、各避難用本体４，５，６間の間隔Ｌ１は、魚類の稚魚やアワビ、サザエ等の稚貝などの幼稚仔が通過可能で、幼稚仔を捕食する魚介類やタコ等の天敵が通過不可能とする寸法、例えば２ｃｍ以上１０ｃｍ以下としている。
【００２５】
また、最下層の避難用本体４は、外周面４Ａの下側の全周に複数の避難用凹部９が形成されている。避難用凹部９は、魚類の稚魚やアワビ、サザエ等の稚貝などの幼稚仔が出入可能で、幼稚仔を捕食する魚介類やタコ等の天敵が出入不可能とする寸法となるように、外周面４Ａの中段から底面４Ｂにかけて約１０ｃｍ3の略立方体状に切欠いて形成されており、外周面４Ａ方向に形成された約１０ｃｍ２の略正方形状の開口部分９Ａと、底面４Ｂ方向に形成された約１０ｃｍ２の略正方形状の開口部分９Ｂとを連設されている。
【００２６】
避難用凹部９の外周面４Ａ方向の開口部分９Ａの高さ寸法Ｈ及び幅寸法Ｗは、人工魚礁１を海底に設置した際に最下層の避難用本体４が海底に埋没しても、避難用凹部９の外周面４Ａ側の開口部分９Ａが露出して幼稚仔が出入可能とする開口面積を確保するため、間隔Ｌ１より大きく形成されており（Ｈ＞Ｌ１）、例えば間隔Ｌ１が８ｃｍの場合、高さ寸法Ｈ及び幅寸法Ｗは１０ｃｍとなる。
【００２７】
各避難用本体４，５，６における第１のスペーサ部材７及び第２のスペーサ部材８の配置位置は、各スペーサ部材７，８が各避難用本体４，５，６の外周面から所定間隔Ｌ２内側となるように各避難用本体４，５，６の四隅に配置される。
【００２８】
そして、最下層の避難用本体４の第１のスペーサ部材７の配置位置には、インサートナット１０が埋設されている。また、中間層、最上層の避難用本体５，６の各スペーサ部材７，８の配置位置には、貫通孔１１，１２が形成されている。また、各スペーサ部材７，８にも、軸方向に貫通する貫通孔１３，１４が形成されている。
【００２９】
一方、人工魚礁１の上部では、魚礁用空間３を形成するために、最上層の避難用本体６にコンクリート製の角柱部材からなる魚礁用スペーサ部材１５を介して平面視矩形状のコンクリート製の平板からなる魚礁用本体１６を積層している。尚、各避難用本体４，５，６及び魚礁用本体１６には図示しない鉄筋が配筋されている。
【００３０】
魚礁用スペーサ部材１５は第１のスペーサ部材７及び第２のスペーサ部材８より長く形成されており、魚礁用本体１６と最上層の避難用本体６との間隔Ｌ３は間隔Ｌ１より大きくなっている。
【００３１】
魚礁用本体１６における魚礁用スペーサ部材１５の配置位置は、魚礁用スペーサ部材１５が魚礁用本体１６の外周面から所定間隔Ｌ４内側となるように魚礁用本体１６の四隅に配置される。
【００３２】
そして、魚礁用本体１６の魚礁用スペーサ部材１５の配置位置には貫通孔１７が形成されており、魚礁用スペーサ部材１５にも軸方向に貫通する貫通孔１８が形成されている。
【００３３】
また、魚礁用空間３には、最上層の避難用本体６上に設置された魚礁用成形体１９を備えている。魚礁用成形体１９は、貝殻２０を骨材としたコンクリートからなる略半円筒状の成形体本体２１と、この成形体本体２１の長さ方向の両端部にそれぞれ設けられた補強体たる略半円筒状のコンクリート縁部２２，２２とを備え、魚礁用成形体１９の円周方向両端には、載置面２３，２３を設け、この載置面２３，２３は、魚礁用成形体１９の直径方向に形成され、略同一平面上に位置する。尚、魚礁用成形体１９は、円筒状の成形体本体２１を切断などにより二分割して形成することができる。そして、前記成形体本体２１の内外面にそれぞれ前記貝殻２０により凹凸部２４が形成されている。尚、前記成形体本体２１内には図示しない鉄筋が配筋されている。
【００３４】
前記成形体本体２１は内面と外面との間で水が通過可能な透水性を備える。この場合、使用するコンクリートの水セメント比を調整することにより、透水性を備えた成形体本体２１を形成する。前記コンクリート縁部２２，２２は、前記成形体本体２１より使用するセメントの割合を増加して、非透水性に形成し、前記成形体本体２１よりは強度が高い。尚、前記コンクリート縁部２２には前記成形体本体２１の貝殻２０が埋設されることにより、成形体本体２１とコンクリート縁部２２との良好な一体化が図られる。また、コンクリート縁部２２は、砂や砂利などの骨材セメントを混合して成型してもよい。
【００３５】
また、複数の魚礁用成形体１９は、魚礁用スペーサ部材１５間に配置されるとともに、互いの軸方向を平行にして並設されており、そのため魚礁用成形体１９の略半円状の開口部２５が魚礁用スペーサ部材１５によって外部から隠匿されている。
【００３６】
また、魚礁用本体１６と最上層の避難用本体６との間隔Ｌ３は、魚礁用成形体１９の半径、つまり高さＬ５より大きく形成されており（Ｌ３＞Ｌ５）、魚礁用空間３における魚礁用成形体１９の上方には、魚礁用本体１６の下面をヤリイカ等の魚介類の産卵礁とする空間が確保されている。
【００３７】
魚礁用本体１６の外周下部には、玉掛け用ワイヤーロープ等が係止可能な係止用凹部２６を複数備えている。
【００３８】
魚礁用本体１６の中央部分には、魚礁用空間３にヤリイカ等の魚介類が出入可能な魚礁用開口部２７が形成されている。
【００３９】
そして、魚礁用本体１６、魚礁用スペーサ部材１５、最上層の避難用本体６、第２のスペーサ部材８、中間層の避難用本体５、第１のスペーサ部材７の順に各貫通孔１１，１２，１３，１４，１７，１８へ連通され、最下層の避難用本体４のインサートナット１０に螺合可能な両螺子ボルト２８を備えている。
【００４０】
各貫通孔１１，１２，１３，１４，１７，１８は両螺子ボルト２８が挿通可能な径に形成されているが、魚礁用本体１６の貫通孔１７は、下部を両螺子ボルト２８が挿入可能な径とする小径部２９と、両螺子ボルト２８の他方に螺合するナット３０が埋設可能な径とする大径部３１からなり、貫通孔１７内部に段差部３２が形成されている。この段差部３２にナット３０が設置可能となっており、また大径部３１の深さはナット３０の高さより大きく形成されており、大径部３１から段差部３２にナット３０を設置した状態で、貫通孔１７から露出するナット３０を外部から隠匿するためにモルタルによる埋戻しや大径部３１と同径の円盤状の隠匿部材３３を埋設するスペースを有している。
【００４１】
以上の構成について、本実施例の人工魚礁１の組み立て方法は、下から最下層の避難用本体４、第１のスペーサ部材７、中間層の避難用本体５、第２のスペーサ部材８、最上層の避難用本体６、魚礁用スペーサ部材１５、魚礁用本体１６の順に積み上げていき、各貫通孔１１，１２，１３，１４，１７，１８に連通された両螺子ボルト２８の一方を、最下層の避難用本体４に設けたインサートナット１０に螺合させるとともに、魚礁用本体１６の貫通孔１７内において両螺子ボルト２８の他方にナット３０を螺合させて、インサートナット１０、両螺子ボルト２８、ナット３０によって最下層の避難用本体４、第１のスペーサ部材７、中間層の避難用本体５、第２のスペーサ部材８、最上層の避難用本体６、魚礁用スペーサ部材１５、魚礁用本体１６を締結して、その後魚礁用本体の貫通孔をモルタル等の隠匿部材で埋めてナット３０を外部から隠匿して人工魚礁１の組み立てが完了する。その後、この組み立てられた人工魚礁は、魚礁用本体の係止用凹部２６に係止された図示しないワイヤーロープによって吊り上げられ、海底の任意の地点へ設置される。
【００４２】
本実施例では、平板状の避難用本体４，５，６と、避難用本体４，５，６間に放流魚を含む魚介類の幼稚仔用空間として避難用空間２を形成して積層するスペーサ部材７，８とを備え、避難用空間２は、幼稚仔は通過可能で、幼稚仔を捕食する魚介類は通過不可能とすることとし、簡単な構造により幼稚仔の避難場所を提供することで、幼稚仔を捕食しようとする天敵から幼稚仔を容易に保護することができる。
【００４３】
また、避難用本体６の外周に幼稚仔が避難可能な避難用凹部９を備えたことにより、警戒心の強い幼稚仔に一時的な避難場所を提供して、警戒心が薄れた後、避難用空間２へ避難させることができる。
【００４４】
さらに、最下層の避難用本体４の第１のスペーサ部材７の配置箇所に設けた第１の雌螺子部材であるインサートナット１０と、インサートナット１０に螺合可能な雄螺子部材である両螺子ボルト２８と、最下層の避難用本体４以外の中間層の避難用本体５，最上層の避難用本体６のスペーサ部材７，８の配置箇所及びスペーサ部材７，８に両螺子ボルト２８が挿通可能に設けられた貫通孔１１，１２，１３，１４と、最上層の避難用本体６の貫通孔１２に挿通された両螺子ボルト２８に螺合され、避難用本体４，５，６とスペーサ部材７，８とを締結固定する第２の雌螺子部材であるナット３０とを備え、両螺子ボルト２８を貫通孔１１，１２，１３，１４に挿通して避難用本体４，５，６とスペーサ部材７，８を接続し、最下層の避難用本体４に両螺子ボルト２８をインサートナット１０を介して固定し、最上層の避難用本体６に両螺子ボルト２８をナット３０を介して固定することで、人工魚礁１の組み立てが容易となる。
【００４５】
また、スペーサ部材７，８を避難用本体４，５，６外周より内側に配置し、避難用空間２を避難用本体４，５，６の外周方向に連続して形成したことで、幼稚仔はどの方向からでも避難用空間２へ避難することができる。
【００４６】
さらに、最上層の避難用本体６に魚礁用スペーサ部材１５を介して平板状の魚礁用本体１６を積層して魚礁用空間３を形成して、魚礁用空間３に貝殻２０を骨材としたコンクリートを固化させた透水性を有する略半円筒状の魚礁用成形体１９を配置して、魚礁用成形体１９の内外面に貝殻２０による凹凸部２４を有すると共に透水性を有することにより、海藻類が着生し易いと共に、有用魚類を効果的に蝟集させることができ、海水の潮通しが良くなり、餌料となる有用微小生物の着生を促進すると共に、海藻類の着生生育を助長する。また、半円筒の内部は、アワビ、サザエ等の貝類の良好な生息施設となり、且つ魚類の幼稚仔保護機能空間となる。また、魚礁用本体１６の上面は海藻類の着生場所となるとともに、魚礁用本体１６の下面はヤリイカ等の魚介類の産卵礁となり、魚礁用空間３を魚介類の産卵場所として提供することができる。以上のことから、幼稚仔の避難用空間２と魚礁用空間３という多機能を有する人工魚礁１を提供することができる。
【００４７】
また、魚礁用成形体１９を前記魚礁用スペーサ部材１５間に配置して、魚礁用成形体１９の開口部２５を魚礁用スペーサ部材１５で隠蔽可能に備えたことにより、魚礁用成形体１９の開口部２５が外部に露出することを防いで、魚礁用成形体１９内部の魚介類を天敵から保護することができる。
【００４８】
さらに、本実施例の魚礁用成形体１９では、貝殻２０を骨材としたコンクリートからなり透水性を有する成形体本体２１と、この成形体本体２１に設けた補強体たるコンクリート縁部２２とを備えることにより、全体として魚礁用成形体１９の強度を確保することができる。そして、透水性を有する成形体本体２１の表面には貝殻２０による複雑な凹凸部２４が形成され、海藻類が着生し易い。また、貝殻２０の隙間には複雑に入り組んだ空洞部が形成され、多毛類，小型甲殻類等が繁殖するから、これを捕食する有用魚類が魚礁用成形体１９の周囲に効果的に蝟集させることができる。
【００４９】
また、本実施例の魚礁用成形体１９では、成形体本体２１の両端部に成形体本体２１より強度が高いコンクリート縁部２２，２２を設けることにより、魚礁用成形体１９の強度を向上することができ、特に、長さ方向端部に貝殻２０が露出しないため、魚礁用成形体１９の貝殻部分が壊れ難くなり、組立時、沈設時及び運搬時に魚礁用成形体１９を落下させても、両端部のコンクリート縁部２２，２２で落下の衝撃に耐えることで、落下強度が高いものとなる。
【００５０】
さらに、本実施例の魚礁用成形体１９では、成形体本体２１及びコンクリート縁部２２，２２が略半円筒状をなし、円周方向両端に略同一平面に位置する載置面２３，２３を設け、成形体本体２１の内外面に貝殻２０による凹凸部２４を有し、成形体本体２１の内外面間に透水性を有するから、略半円筒状をなす成形体本体２１の両端部にコンクリート縁部２２，２２を設けることにより、強度を確保することができる。また、成形体本体２１の内外面に凹凸部２４を有すると共に成形体本体２１が透水性を有することにより、海藻類が着生し易と共に、有用魚類を効果的に蝟集させることができる。そして、設置の際は円周方向両端の載置面２３，２３を下にして設置面に置くことにより、安定して設置することができる。
【００５１】
また、本実施例の人工魚礁１では、避難用本体４，５，６間の間隔Ｌ１を２ｃｍ以上１０ｃｍ以下とし、避難用凹部９は、最下層の避難用本体４の外周面４Ａの下側から底面４Ｂにかけて切り欠いて形成され、避難用凹部９の外周面４Ａ方向の開口部分９Ａの高さ寸法Ｈ及び幅寸法Ｗを間隔Ｌ１より大きく形成している。
【００５２】
この場合、避難用本体４，５，６間の間隔Ｌ１を２ｃｍ以上１０ｃｍ以下とすることで、各避難用本体４，５，６間の間隔Ｌ１を、魚類の稚魚やアワビ、サザエ等の稚貝などの幼稚仔が通過可能で、幼稚仔を捕食する魚介類やタコ等の天敵が通過不可能とすることができる。また、避難用凹部９を避難用本体４の外周面４Ａの下側から底面４Ｂにかけて切り欠いて形成したことで、避難用凹部９の底面４Ｂ側の開口部分９Ｂに面した海底を掘り下げると避難用凹部９による避難用空間の拡大を図ることができる。さらに、避難用凹部９の外周面４Ａ方向の開口部分９Ａの高さ寸法Ｈ及び幅寸法Ｗを間隔Ｌ１より大きく形成したことで、人工魚礁１を海底に設置した際に最下層の避難用本体４が海底に埋没しても、避難用凹部９の開口部分９Ａにおける開口面積が確保され、避難用凹部９の外周面４Ａ側の開口部分９Ａが露出して幼稚仔が出入可能とする。また、人工魚礁１を海底に設置した場合に、例えば最下層の避難用本体４が外周面４Ａの中段付近まで海底に埋まり、避難用凹部９の開口部分９Ａの一部が海底の土に埋没している状態でも、開口部分９Ａがわずかでも露出していれば、幼稚仔は避難用凹部９を塞いでいる土を掻き出して避難用凹部９内部へ避難することができる。この場合、開口部分９Ａの一部が埋もれているために避難用凹部９の露出が少なくなっており、避難用凹部９に避難した幼稚仔が外敵に見つかる危険も低下する。
【００５３】
尚、本考案は、本実施例に限定されるものではなく、本考案の要旨の範囲内で種々の変形実施が可能である。例えば、３つの避難用本体を積層して避難用空間を形成したが、避難用本体の数や形状については特に限定されるものではない。また、間隔Ｌ１，Ｌ２，Ｌ３，Ｌ４、避難用凹部９の高さ寸法Ｈや幅寸法Ｗについては、保護対象とする幼稚仔のサイズや種類に応じて適宜変更可能である。さらに、避難用凹部の形状については、本実施例では、外周面側の開口部分及び底面側の開口部分の形状を共に略正方形状としているが、幼稚仔が天敵から避難する際に出入可能な形状であれば、特に限定されるものではない。また、魚礁用成形体の形状についても、内部がアワビ、サザエ等の貝類の良好な生息施設となり、且つ魚類の幼稚仔保護機能空間となる立体的形状を有していれば、特に限定されるものではない。さらに、骨材として用いる貝殻２０はカキが好適であるが、ホタテ貝やアコヤ貝などのカキ以外の貝などに適用可能であることはいうまでもない。また、請求項１において、放流魚以外の幼稚仔が幼稚仔用空間に入ることは言うまでもない。
【符号の説明】
【００５４】
１  人工魚礁
２  避難用空間（幼稚仔用空間）
３  魚礁用空間
４  最下層の避難用本体（本体）
４Ａ  外周面
４Ｂ  底面
５  中間層の避難用本体（本体）
６  最上層の避難用本体（本体）
７  第１のスペーサ部材
８  第２のスペーサ部材
９  避難用凹部（凹部）
９Ａ  開口部分
１０  インサートナット（第１の雌螺子部材）
１１  貫通孔（中間層本体）
１２  貫通孔（最上層本体）
１３  貫通孔（第１のスペーサ部材）
１４  貫通孔（第２のスペーサ部材）
１５  魚礁用スペーサ部材
１６  魚礁用本体
１９  魚礁用成形体
２５  開口部（魚礁用成形体）
２８  両螺子ボルト（雄螺子部材）
３０  ナット（第２の雌螺子部材）
Ｌ１  間隔
Ｈ  高さ寸法
Ｗ  幅寸法
【図１】
0003200467.tif 000003
【図２】
0003200467.tif 000004
【図３】
0003200467.tif 000005